(57)【要約】【課題】複数の原稿を一度に読み取った場合に、その原稿の枚数や傾き等に応じて適切な切り出し処理を行う。【解決手段】クリップ領域認識部は読み取った画像からクリップ領域を決定する。傾き検出部は各クリップ領域の傾きを検出し、クリップ領域の数がＰ以上Ｑ以下の場合、第一処理制御部が第一クリップ処理を行い、Ｐ未満Ｑより大きい場合は第二処理制御部が第二クリップ処理を実行する。第一クリップ処理では、傾き補正部がクリップ領域の傾きに応じて画像を回転させ、クリップ処理部がそのクリップ領域を切り出す。この処理を全てのクリップ領域について行う。第二クリップ処理では、クリップ領域選択部が１つのクリップ領域を選択し、傾き補正部がそのクリップ領域の傾きに応じて画像を回転し、クリップ処理部が全てのクリップ領域をクリップする。【選択図】図３
2018139371.tif 000002
【特許請求の範囲】
【請求項１】
画像に含まれる原稿の領域をクリップ領域として認識するクリップ領域認識部と、
前記クリップ領域の傾きを検出する傾き検出部と、
前記クリップ領域のうち１つのクリップ領域を選択するクリップ領域選択部と、
前記選択されたクリップ領域の傾きに基づいて前記画像の傾きを補正する傾き補正部と、
前記傾き補正後の画像から前記クリップ領域を切り出すクリップ処理部と、
前記クリップ領域選択部に１つの前記クリップ領域を選択させ、前記傾き補正部に当該選択されたクリップ領域の傾きに基づいて前記画像の傾きを補正させた後、前記クリップ処理部に当該選択されたクリップ領域を前記傾き補正後の画像から切り出させる第一クリップ処理を、前記クリップ領域認識部が認識した全てのクリップ領域についてそれぞれ行う第一処理制御部と、
前記クリップ領域選択部に１つの前記クリップ領域を選択させ、前記傾き補正部に当該選択されたクリップ領域の傾きに基づいて前記画像の傾きを補正させた後、前記切り出し処理部に全ての前記クリップ領域を前記傾き補正後の画像から切り出させる第二クリップ処理を行う第二処理制御部とを備え、
予め定められた条件に応じて、前記第一処理制御部による第一クリップ処理又は前記第二処理制御部による第二クリップ処理の何れかが選択的に行われる画像処理装置。
【請求項２】
前記クリップ領域認識部が認識したクリップ領域の数が予め定められた第一の数以上である場合、前記第一処理制御部が第一クリップ処理を実行し、前記クリップ領域の数が前記第一の数より少ない場合、前記第二処理制御部が第二クリップ処理を実行し、前記クリップ領域認識部が認識したクリップ領域の数が、前記第一の数より大きい第二の数以上である場合、前記第二処理制御部が第二クリップ処理を実行する請求項１に記載の画像処理装置。
【請求項３】
前記傾き検出部が検出した前記クリップ領域の傾きのばらつきが予め定められた数値以上である場合、前記第一処理制御部が第一クリップ処理を実行し、前記予め定められた数値より小さい場合、前記第二処理制御部が第二クリップ処理を実行する請求項１又は請求項２に記載の画像処理装置。
【請求項４】
前記第一処理制御部による第一クリップ処理又は前記第二処理制御部による第二クリップ処理の何れを実行させるかの選択入力を受け付ける入力受付部を更に備え、前記入力受付部が受け付けた入力に応じて前記第一処理制御部による第一クリップ処理又は前記第二処理制御部による第二クリップ処理の何れかが行われる請求項１乃至請求項３のいずれかに記載の画像処理装置。
【請求項５】
前記クリップ領域に含まれる文字サイズが予め定められたサイズ以下の場合、前記第一処理制御部が前記第一クリップ処理を実行し、前記予め定められたサイズより大きい場合、前記第二処理制御部が前記第二クリップ処理を実行する請求項１乃至請求項４のいずれかに記載の画像処理装置。
【請求項６】
前記クリップ領域に写真画像が含まれる場合、前記第一処理制御部が前記第一クリップ処理を実行し、写真画像がない場合、前記第二処理制御部が前記第二クリップ処理を実行する請求項１乃至請求項５のいずれかに記載の画像処理装置。
【請求項７】
１つ又は複数の原稿を１つの画像として取得する画像読取部と、
前記請求項１乃至請求項６のいずれかに記載の画像処理装置と、
を備えた画像読取装置。
【請求項８】
請求項７に記載の画像読取装置と、
前記画像読取装置が読み取った画像を用紙に印刷する画像形成部と、
を備えた画像形成装置。
【発明の詳細な説明】
【技術分野】
【０００１】
本発明は、原稿を読み取って画像を取得し、取得した画像から文字や写真領域を切り出す処理を行う画像処理装置、画像読取装置、及び当該画像を印刷する画像形成装置に関するものである。
【背景技術】
【０００２】
原稿の画像を読み取る画像読取装置では、読み取った画像から原稿画像だけを切り出す機能（クリップ機能）を備えているものがある。そして多くのクリップ機能は、原稿載置台に置かれた原稿が斜めに傾いている場合でも、クリッピングを行う際に原稿画像の傾きを検出し、切り出した原稿画像の傾きを補正して表示又は保存まで行う。
【０００３】
特許文献１及び２には、画像読取装置が読み取った画像から原稿画像を切り出す方法について記載されている。
【先行技術文献】
【特許文献】
【０００４】
【特許文献１】特開２００２−１００５９号公報
【発明の概要】
【発明が解決しようとする課題】
【０００５】
しかし、原稿載置台に名刺等の複数の原稿が置かれた場合、特許文献１に記載されている発明には、名刺の枚数や置かれた方向に応じて切り取り手順を適切な方法に切り替える方法については記載されていない。原稿載置台に載置された複数の名刺等の複数の原稿を読み取る場合、載置された各名刺のそれぞれの傾きや枚数等に応じて画像品質の保持や処理負担の軽減を図ることが望まれるが、上記特許文献１に記載された技術は、これを実現できていない。
【０００６】
本発明は、上記の問題を解決するためになされたもので、複数の原稿を一度に読み取った場合に、その原稿の枚数や傾き等の条件に応じて適切な切り出し処理を行う画像処理装置、画像読取装置及び画像形成装置を提供することを目的とする。
【課題を解決するための手段】
【０００７】
本発明における画像処理装置は、画像に含まれる原稿の領域をクリップ領域として認識するクリップ領域認識部と、前記クリップ領域の傾きを検出する傾き検出部と、前記クリップ領域のうち１つのクリップ領域を選択するクリップ領域選択部と、前記選択されたクリップ領域の傾きに基づいて前記画像の傾きを補正する傾き補正部と、前記傾き補正後の画像から前記クリップ領域を切り出すクリップ処理部と、前記クリップ領域選択部に１つの前記クリップ領域を選択させ、前記傾き補正部に当該選択されたクリップ領域の傾きに基づいて前記画像の傾きを補正させた後、前記クリップ処理部に当該選択されたクリップ領域を前記傾き補正後の画像から切り出させる第一クリップ処理を、前記クリップ領域認識部が認識した全てのクリップ領域についてそれぞれ行う第一処理制御部と、前記クリップ領域選択部に１つの前記クリップ領域を選択させ、前記傾き補正部に当該選択されたクリップ領域の傾きに基づいて前記画像の傾きを補正させた後、前記切り出し処理部に全ての前記クリップ領域を前記傾き補正後の画像から切り出させる第二クリップ処理を行う第二処理制御部とを備え、予め定められた条件に応じて、前記第一処理制御部による第一クリップ処理又は前記第二処理制御部による第二クリップ処理の何れかが選択的に行われるものである。
【０００８】
また、本発明における画像読取装置は、１つ又は複数の原稿を１つの画像として取得する画像読取部と、上記の画像処理装置と、を備える。
【０００９】
また、本発明における画像形成装置は、上記の画像読取装置と、前記画像読取装置が読み取った画像を用紙に印刷する画像形成部と、を備える。
【発明の効果】
【００１０】
この発明によれば、例えば、クリップ領域の数やクリップ領域の傾きのばらつき、クリップ領域に含まれる文字サイズ、写真の有無等、条件に適したクリップ処理を第一処理制御部又は第二処理制御部が実行する。これにより、利便性の高い画像処理装置、画像読取装置及び画像形成装置を提供することができる。
【００１１】
第一処理制御部が実行するクリップ処理は、クリップ領域毎にクリップ領域の傾きに基づいて画像を回転し、そのクリップ領域を切り出すため、クリップ領域が傾いたまま切り出されることがなく、クリップ後の画像の画質を保つことができる。一方、第二処理制御部が実行するクリップ処理は、１つのクリップ領域の傾きに基づいて画像を１回だけ回転させた後に全てのクリップ領域を切り出すため、処理負担が小さくて済み、処理時間も短くすることができる。本発明によれば、第一処理制御部による第一クリップ処理又は第二処理制御部による第二クリップ処理のうち、条件に適した方の制御を行うことが可能である。
【図面の簡単な説明】
【００１２】
【図１】画像読取装置の全体構成を示す概略断面図である。
【図２】画像読取装置の主要内部構成を示す機能ブロック図である。
【図３】クリップ処理の流れを示すフローチャートである。
【図４】画像読取部が読み取った画像の一例である。
【図５】回転後の画像の一例である。
【図６】回転後の画像の一例である。
【図７】回転後の画像の一例である。
【図８】画像読取部が読み取った画像の一例である。
【図９】回転後の画像の一例である。
【図１０】他のクリップ処理の流れを示すフローチャートである。
【発明を実施するための形態】
【００１３】
以下、本発明の実施形態に係る画像処理装置、画像読取装置及び画像形成装置について、図面に基づき詳細に説明する。尚、本実施の形態では、本実施形態に係る画像読取装置として画像形成装置を例に挙げて説明する。
【００１４】
図１は、画像形成装置１の全体構成を示す概略断面図である。画像読取部５は、上面に設けられた原稿を載置するためのコンタクトガラス１６１、コンタクトガラス１６１に載置された原稿に光を照射する光源２６、原稿からの反射光を第２ミラー２２に反射する第１ミラー２１、反射光をＣＣＤ（Charge Coupled Device）やＣＭＯＳ（Complementary Metal Oxide Semiconductor）等のイメージセンサーで構成された撮像素子２５へ導く第３ミラー２３及びレンズ系２４を有する。
【００１５】
ユーザーがコンタクトガラス１６１上に原稿を置き、圧板６を閉じて、スタートボタン（不図示）を押下すると、後述する制御部１００の制御に従って光源２６が発光し、この光源２６の光がコンタクトガラス１６１を透過して原稿に照射される。その結果、原稿の反射光がコンタクトガラス１６１を通して第１ミラー２１に入射する。この入射光は、第２ミラー２２、第３ミラー２３及びレンズ系２４を通過した後、撮像素子２５へ入射する。
【００１６】
撮像素子２５は、制御部１００の制御に従って動作し、入射光を電気信号へ変換する。撮像素子２５は、主走査方向に配列しており、主走査方向の１ライン分の出力値を得る。
【００１７】
更に、光源２６、第１ミラー２１、第２ミラー２２及び第３ミラー２３は、モーター等の駆動部（不図示）によって副走査方向（矢印Ｙ方向）に一定速度で移動する。こうすることで、画像読取部５は原稿の主走査方向１ライン分の出力値を副走査方向に連続して取得し、結果として原稿全体の画像を読み取ることができる。
【００１８】
図２は、画像形成装置１の主要内部構成を示す機能ブロック図である。画像形成装置１は、制御ユニット１０、画像読取部５、画像メモリー３、記憶部４、操作部７、画像形成部１２、及びデータ送受信部９を備えて構成される。図１と同じ構成要素には同じ番号を付し、説明を省略する。
【００１９】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、第一処理制御部１０１と、第二処理制御部１０２と、画像処理部８とを備えている。
【００２０】
制御ユニット１０は、ＨＤＤ９２に記憶されている制御プログラムに従った上記プロセッサーによる動作により、制御部１００と、第一処理制御部１０１と、第二処理制御部１０２と、画像処理部８として機能するものである。但し、制御部１００等は、制御ユニット１０による制御プログラムに従った動作によらず、ハードウェア回路により構成することも可能である。以下、特に触れない限り、各実施形態について同様である。
【００２１】
制御部１００は、画像形成装置１の全体的な動作制御を司る。制御部１００は、画像読取部５、画像形成部１２、画像メモリー３、記憶部４、及びデータ送受信部９と接続され、これら各部の駆動制御等を行う。
【００２２】
画像メモリー３は、画像読取部５が読み取ったデータやデータ送受信部９が外部装置から受信したデータ等を一時的に保存する。記憶部４はＨＤＤ等からなり、画像形成装置１の動作に必要なプログラムやデータを記憶する。
【００２３】
画像形成部１２は、印刷すべき画像のトナー像を用紙（記録媒体）上に形成する。画像メモリー３は、画像形成部１２のプリント対象となるデータを一時的に保存したりするための領域としても機能する。
【００２４】
操作部（入力受付部）７は、画像形成装置１が実行可能な各種動作及び処理についてユーザーからの指示を受け付けるものである。例えば、操作部７は、テンキーや各種処理を実行、停止させるためのスタートボタン、リセットボタン等のハードキー、ＬＣＤ（Liquid Crystal Display）等で構成された表示画面を有する。表示画面は操作方法や各種メッセージ、操作ボタン等を表示する。
【００２５】
制御部１００に備えられる画像処理部８は、画像メモリー３が記憶するデータに対して、種々の画像処理を施すものであり、クリップ領域認識部８１、傾き検出部８２、クリップ領域選択部８３、傾き補正部８４及びクリップ処理部８５を有する。
【００２６】
クリップ領域認識部８１は、画像読取部５が読み取った画像から、例えば原稿とコンタクトガラス１６１との濃度差を利用して原稿エッジ（エッジ画像）を検出し、この原稿エッジが示すエッジ情報を使ってクリップ領域を決定する。そして、クリップ領域認識部８１は、画像読取部５が読み取った画像であって、上記原稿エッジを検出した画像から、１つのかたまりとして原稿エッジにより四辺が囲まれた矩形画像をクリップ領域として決定する。
【００２７】
例えば、コンタクトガラス１６１上に複数のカード（例えば名刺）が置かれ、画像読取部５がこの複数のカードを一度に読み取った場合、読み取った画像には複数のカードの画像が含まれる。この場合、クリップ領域認識部８１は各カードについて原稿エッジを検出し、クリップ領域を決定する。
【００２８】
傾き検出部８２は、各クリップ領域の傾きを検出する。クリップ領域選択部８３は、クリップ領域認識部８１が認識したクリップ領域のうち、１つのクリップ領域を選択する。この選択方法については後ほど説明する。
【００２９】
傾き補正部８４は、クリップ領域選択部８３が選択中のクリップ領域の傾きを傾き検出部８２が検出した傾きに応じて補正する。
【００３０】
クリップ処理部８５は、原稿画像から、クリップ領域認識部８１により決定された各クリップ領域の画像をそれぞれに切り出す処理（クリップ処理）を行う。
【００３１】
原稿画像のエッジ検出、クリップ領域の傾き検出、傾き補正の処理は、既知の手法により行うことができるため、詳細は説明を省略する。
【００３２】
データ送受信部９は、接続されたＬＡＮ等を介して、ローカルエリア内又はインターネット上のパーソナルコンピューター等の外部装置と種々のデータの送受信を行う。
【００３３】
制御ユニット１０は、更に、第一処理制御部１０１及び第二処理制御部１０２を備える。
【００３４】
第一処理制御部１０１は、選択された１つのクリップ領域に基づいて傾き補正部８４に画像を回転させ、クリップ処理部８５にそのクリップ領域を切り出させる処理を、各クリップ領域のそれぞれに対して行わせるクリップ処理をする。以下、第一処理制御部１０１が行うクリップ処理を「第一クリップ処理」とする。
【００３５】
第二処理制御部１０２は、選択された１つのクリップ領域に基づいて傾き補正部８４に画像を回転させ、クリップ処理部８５に全てのクリップ領域を切り出させる処理を行わせる制御をする。以下、第二処理制御部１０２が行うクリップ処理を「第二クリップ処理」とする。
【００３６】
図３は、本実施の形態におけるクリップ処理の流れを示すフローチャートである。最初に、画像読取部５は、コンタクトガラス１６１に載置された原稿を読み取って画像を取得する（ステップＳ１１）。例えばコンタクトガラス１６１上に名刺が３枚置かれ、画像読取部５が３枚の名刺を１つの画像として読み取ったとする。図４は、画像読取部５が読み取った画像９００の一例である。画像メモリー３は画像９００を一旦保存する。本実施形態では、画像読取部５が読み取る画像９００は四辺を直線とする矩形領域とする。
【００３７】
続いて、クリップ領域認識部８１が画像９００から原稿エッジを検出し、クリップ領域を決定する（ステップＳ１２）。つまり、クリップ領域認識部８１は、画像９００から３枚の名刺の原稿エッジを検出し、クリップ領域を決定する。図４において、点線で示す領域９１、９２及び９３がクリップ領域である。
【００３８】
そして、傾き検出部８２が、各クリップ領域の傾きを検出する（ステップＳ１３）。本実施の形態では、傾き検出部８２は、主走査方向に対するクリップ領域の長辺の傾きを検出することとして説明する。つまり、傾き検出部８２は、領域９１が傾きθ１、領域９２が傾きθ２、領域９３が主走査方向に対して平行、傾きゼロと検出する。
【００３９】
そして、Ｓ１４において、クリップ領域の数ｎがＰ以上Ｑ以下の場合、第一処理制御部１０１が第一クリップ処理を行う。本実施の形態では、一例として、Ｐ＝３、Ｑ＝８として説明する。つまり、クリップ領域（名刺の数）が３〜８個であるとき、第一処理制御部１０１が第一クリップ処理を実行し、クリップ領域の数が３個未満、９個以上であるとき、第二処理制御部１０２が第二クリップ処理を実行する。図４の場合、画像９００に含まれるクリップ領域の数はｎ＝３であるため、第一処理制御部１０１が第１クリップ処理を実行する。
【００４０】
まず、クリップ領域選択部８３は、クリップ領域を１つ選択する（ステップＳ１５）。第一クリップ処理では全てのクリップ領域が１つずつ選択されて回転処理が行われるため、ステップＳ１５においてどの順番でクリップ領域が選択されても構わない。一例として、クリップ領域選択部８３は、画像９００の上から順番にクリップ領域を選択するとし、まず領域９１を選択したとする。
【００４１】
次に傾き補正部８４が、領域９１の傾きがゼロになるように画像９００を回転させる（ステップＳ１６）。領域９１が主走査方向から逆時計回りの方向にθ１傾いていた場合、傾き補正部８４は画像９００を時計回りの方向にθ１回転する。図５は、回転後の画像９０１を示している。これにより領域９１は主走査方向に対して平行、傾きゼロとなる。
【００４２】
そして、クリップ処理部８５が、画像９０１から領域９１をクリップする（ステップＳ１７）。全てのクリップ領域のクリップ処理が終わっていない場合（ステップＳ１８；ＮＯ）、第一処理制御部１０１はステップＳ１５へ処理を移行する。つまり、次にクリップ領域選択部８３は領域９２を選択し、図６に示すように、傾き補正部８４が領域９２の傾きがゼロになるように画像９００を主走査方向に対して時計回りにθ２回転し、クリップ処理部８５が回転後の画像９０２から領域９２をクリップする。
【００４３】
続いて、第一処理制御部１０１は、領域９３に対しても同様の処理を行う。領域９３は主走査方向に対する傾きがない、つまり主走査方向に平行の向きである場合、傾き補正部８４は画像９００を回転する必要はなく（第一処理制御部１０１はステップＳ１６を行わず）、図７に示すように、クリップ処理部８５が画像９００からそのまま領域９３をクリップする。その後、第一処理制御部１０１は、処理を終了する。
【００４４】
次に、クリップ領域の数ｎ＝２であって、第二処理制御部１０２が第二クリップ処理を実行する場合について説明する。図８は、画像読取部５が読み取った画像９１０の一例である。
【００４５】
まず、クリップ領域選択部８３は、クリップ領域を１つ選択し（ステップＳ１９）、ステップＳ１９で選択されたクリップ領域の傾きがゼロになるように傾き補正部８４が画像９１０を回転する（ステップＳ２０）。本実施の形態では、クリップ領域選択部８３が領域９２を選択し、傾き補正部８４が領域９２の傾きに基づいて画像９１０を回転したとする。図９は、回転後の画像９１１を示している。そして、クリップ処理部８５が、画像９１１から全てのクリップ領域、つまり領域９１及び領域９２をクリップする（ステップＳ２１）。そして、第二処理制御部１０２は、処理を終了する。
【００４６】
第二クリップ処理では、第二処理制御部１０２が選択した１つのクリップ領域の傾きに応じて画像９１０を一度だけ回転した後、全てのクリップ領域（領域９１及び領域９２）をクリップする。つまり、領域９２は主走査方向に対する傾きがゼロの状態でクリップされるが、領域９１は傾いたままの状態でクリップされ、画質悪化が懸念される。
【００４７】
そこで、クリップ領域選択部８３はクリップ領域の傾きの平均値を算出し、平均値に最も近い傾きを持つクリップ領域を選択することが望ましい。こうすることで、選択されないクリップ領域のクリップ後の画像の画質悪化を最小限に抑えることができる。
【００４８】
また、第二処理制御部１０２は、画像読取部５が読み取った画像を一回回転するだけなので、処理負担が軽く、処理時間も短くて済む。
【００４９】
このように、クリップ領域の数があらかじめ定められた範囲（例えば、名刺が３〜８枚）の場合は、第一処理制御部１０１が第一クリップ処理を実行することで、各クリップ領域は主走査方向に対する傾きがゼロの状態でクリップされる。従って画質の良いクリップ画像を得ることができる。
【００５０】
しかし、第一クリップ処理は、クリップ領域の数だけ画像の回転処理を行うため、処理負担が大きくなり、処理時間も増加する。そこで、クリップ領域の数が多い（例えば９枚以上）場合、第二処理制御部１０２が第二クリップ処理を実行する。これにより、処理負担と処理時間を最小限に抑えることができる。
【００５１】
また、クリップ領域の数が少ない（例えば、２枚以下）の場合は、図３のステップＳ１９にて選択されないクリップ領域の数が少ない、つまり傾いたままクリップされるクリップ領域の数も少ないことから、画質悪化の影響を受ける数が少なくて済むため、第二クリップ処理を用いて処理を行う。こうすることで、処理負担と処理時間を抑えることができる。
【００５２】
上記ではクリップ領域の数で第一クリップ処理又は第二クリップ処理の何れかを実行するかを決定した。この他に、各クリップ領域の傾きのばらつき（標準偏差）に応じて、第一クリップ処理又は第二クリップ処理の何れかを実行する方法について図１０のフローチャートを用いて説明する。尚、図３に示したステップ番号と同じステップは処理内容が同じであるため、説明を適宜省略する。
【００５３】
ステップＳ１３の後、制御部１００が、各クリップ領域の傾きからばらつきを算出し、そのばらつきが予め定められたθ以上であれば（ステップＳ３１；ＹＥＳ）、第一処理制御部１０１が第一クリップ処理を行い、θより小さければ（ステップＳ３１；ＮＯ）、第二処理制御部１０２が第二クリップ処理を行う。
【００５４】
クリップ領域の傾きのばらつきが大きい場合に第二クリップ処理を採用すると、１つのクリップ領域の傾きに応じて画像を１回だけ回転させて、全てのクリップ領域をクリップするため、大きく傾いたままクリップされる画像が多くなってしまう。そこで、傾きのばらつきが大きい場合はクリップ領域毎に画像を回転させてクリップする第一クリップ処理を採用することで、クリップ後の画像の画質悪化を防ぐことができる。
【００５５】
一方、クリップ領域の傾きのばらつきが小さい場合、例えば、複数のクリップ領域が同じ方向にほぼ同じ角度で傾いていた場合、１つのクリップ領域の傾きに応じて画像を１回だけ回転させると、選択されなかった他のクリップ領域も同じように回転するため、傾きがゼロに近くなり大きく傾いたままクリップされることがない。従って、傾きのばらつきが小さいときは第二クリップ処理を採用することで、処理負担の軽減、処理時間の短縮を図ることができる。
【００５６】
尚、本発明は上記実施の形態の構成に限られず種々の変形が可能である。本実施の形態では、クリップ領域の数、クリップ領域の傾きのばらつきに基づいて、第一クリップ処理または第二クリップ処理の何れかを実行することとして説明したが、ユーザーが任意に設定可能としてもよい。つまり、画質の良いクリップ画像を得たい場合は第一クリップ処理、処理時間を短くしたい場合は第二クリップ処理を選択する。
【００５７】
更に、制御部１００がクリップ領域に含まれる文字サイズを検知し、文字サイズが予め定められたサイズ以下の場合、第一処理制御部１０１が第一クリップ処理を実行し、予め定められたサイズより大きい場合、第二処理制御部１０２が第二クリップ処理を実行するようにしてもよい。例えば、制御部１００は、クリップ領域の画像に対して、ＯＣＲ処理を行って文字か否かを判定するとともに、当該文字と判定された部分の画像の大きさに基づいて、文字サイズが予め定められたサイズ以下か否かを判断する。
【００５８】
クリップ領域に含まれる文字サイズが小さい場合、傾いたままクリップすると、文字がつぶれてしまい、クリップ後の画像から文字が読めない可能性が高い。その場合、クリップ領域毎に画像を回転させてクリップする第一クリップ処理を採用することで、可読性の高い画像を得ることができる。
【００５９】
一方、クリップ領域に含まれる文字サイズが大きい場合、多少傾いたままクリップしてもクリップ後の画像から文字を認識しやすい。従って、画像を１度回転した後全てのクリップ領域をクリップする第二クリップ処理を採用することで、処理負担の軽減、処理時間の短縮を図ることができる。
【００６０】
更に、制御部１００がクリップ領域に写真画像が含まれているか否かを判別し、写真画像が含まれている場合、画質のよいクリップ画像を得るために第一処理制御部１０１が第一クリップ処理を実行するようにしてもよい。一方、写真画像が含まれていない場合、画質は問わず、処理負担の軽減、処理時間の短縮を図るために第二処理制御部１０２が第二クリップ処理を実行するようにしてもよい。なお、制御部１００による上記写真画像が含まれているか否かの判断は既知の方法により行う。
【００６１】
以上、説明したように、クリップ領域の数、傾きのばらつき、文字サイズ、写真画像の有無等に応じて、画質重視の第一クリップ処理、又は処理時間の短い第二クリップ処理を選択して実行することで、状況に応じて最適なクリップ処理を実行することができる。
【００６２】
なお、本発明の実施形態に係る画像読取装置に、電子写真方式やインクジェット方式等の画像形成部１２（図２）を追加したものが、本実施形態に係る上記の画像形成装置１である。また、本実施形態に係る画像処理装置は、本実施形態に係る画像読取装置から画像読取部５（図２）を除去したものである。本実施形態に係る画像処理装置は、データ送受信部９が、後述する第一処理制御部１０１、第二処理制御部１０２、及び画像処理部８による処理対象となる画像を、ネットワーク接続された他のパーソナルコンピューター等から取得する。
【符号の説明】
【００６３】
１    画像形成装置
３    画像メモリー
４    記憶部
５    画像読取部
７    操作部
８    画像処理部
８１  クリップ領域認識部
８２  傾き検出部
８３  クリップ領域選択部
８４  傾き補正部
８５  クリップ処理部
９    データ送受信部
【図１】
2018139371.tif 000003
【図２】
2018139371.tif 000004
【図３】
2018139371.tif 000005
【図４】
2018139371.tif 000006
【図５】
2018139371.tif 000007
【図６】
2018139371.tif 000008
【図７】
2018139371.tif 000009
【図８】
2018139371.tif 000010
【図９】
2018139371.tif 000011
【図１０】
2018139371.tif 000012
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
画像に含まれる原稿の領域をクリップ領域として認識するクリップ領域認識部と、
前記クリップ領域の傾きを検出する傾き検出部と、
前記クリップ領域のうち１つのクリップ領域を選択するクリップ領域選択部と、
前記選択されたクリップ領域の傾きに基づいて前記画像の傾きを補正する傾き補正部と、
前記傾き補正後の画像から前記クリップ領域を切り出すクリップ処理部と、
前記クリップ領域選択部に１つの前記クリップ領域を選択させ、前記傾き補正部に当該選択されたクリップ領域の傾きに基づいて前記画像の傾きを補正させた後、前記クリップ処理部に当該選択されたクリップ領域を前記傾き補正後の画像から切り出させる第一クリップ処理を、前記クリップ領域認識部が認識した全てのクリップ領域についてそれぞれ行う第一処理制御部と、
前記クリップ領域選択部に１つの前記クリップ領域を選択させ、前記傾き補正部に当該選択されたクリップ領域の傾きに基づいて前記画像の傾きを補正させた後、前記クリップ処理部に全ての前記クリップ領域を前記傾き補正後の画像から切り出させる第二クリップ処理を行う第二処理制御部とを備え、
予め定められた条件に応じて、前記第一処理制御部による第一クリップ処理又は前記第二処理制御部による第二クリップ処理の何れかが選択的に行われる画像処理装置。
【請求項２】
前記クリップ領域認識部が認識したクリップ領域の数が予め定められた第一の数以上である場合、前記第一処理制御部が第一クリップ処理を実行し、前記クリップ領域の数が前記第一の数より少ない場合、前記第二処理制御部が第二クリップ処理を実行し、前記クリップ領域認識部が認識したクリップ領域の数が、前記第一の数より大きい第二の数以上である場合、前記第二処理制御部が第二クリップ処理を実行する請求項１に記載の画像処理装置。
【請求項３】
前記傾き検出部が検出した前記クリップ領域の傾きのばらつきが予め定められた数値以上である場合、前記第一処理制御部が第一クリップ処理を実行し、前記予め定められた数値より小さい場合、前記第二処理制御部が第二クリップ処理を実行する請求項１又は請求項２に記載の画像処理装置。
【請求項４】
前記第一処理制御部による第一クリップ処理又は前記第二処理制御部による第二クリップ処理の何れを実行させるかの選択入力を受け付ける入力受付部を更に備え、前記入力受付部が受け付けた入力に応じて前記第一処理制御部による第一クリップ処理又は前記第二処理制御部による第二クリップ処理の何れかが行われる請求項１乃至請求項３のいずれかに記載の画像処理装置。
【請求項５】
前記クリップ領域に含まれる文字サイズが予め定められたサイズ以下の場合、前記第一処理制御部が前記第一クリップ処理を実行し、前記予め定められたサイズより大きい場合、前記第二処理制御部が前記第二クリップ処理を実行する請求項１乃至請求項４のいずれかに記載の画像処理装置。
【請求項６】
前記クリップ領域に写真画像が含まれる場合、前記第一処理制御部が前記第一クリップ処理を実行し、写真画像がない場合、前記第二処理制御部が前記第二クリップ処理を実行する請求項１乃至請求項５のいずれかに記載の画像処理装置。
【請求項７】
１つ又は複数の原稿を１つの画像として取得する画像読取部と、
請求項１乃至請求項６のいずれかに記載の画像処理装置と、
を備えた画像読取装置。
【請求項８】
請求項７に記載の画像読取装置と、
前記画像読取装置が読み取った画像を用紙に印刷する画像形成部と、
を備えた画像形成装置。
【手続補正２】
【補正対象書類名】明細書
【補正対象項目名】００２５
【補正方法】変更
【補正の内容】
【００２５】
制御ユニット１０に備えられる画像処理部８は、画像メモリー３が記憶するデータに対して、種々の画像処理を施すものであり、クリップ領域認識部８１、傾き検出部８２、クリップ領域選択部８３、傾き補正部８４及びクリップ処理部８５を有する。